(57)【特許請求の範囲】
【請求項１】
インターホン子機とインターホン親機とを少なくとも１ずつ含む複数のインターホン機器、及びインターネットプロトコルにより時分割多重通信によって前記インターホン機器間の通話を制御するローカル制御装置を有し、夫々インターネットを介して接続される複数のローカルシステムと、前記インターネットに接続され、前記インターホン機器のＩＰアドレスを記憶するＩＰ制御機とからなるインターホンシステムであって、
前記ローカル制御装置は、電源投入する度に前記インターネットを介して前記ＩＰ制御機に接続を試み、接続できると、自身が所属する前記ローカルシステム内の前記インターホン機器のＩＰアドレスをダウンロードして、そのＩＰアドレスを記憶部に記憶しており、
電源投入した際に前記ＩＰ制御機に接続できた場合において、１のインターホン機器が同じ前記ローカルシステムに所属する他のインターホン機器を呼び出すと、呼び出し操作した前記１のインターホン機器が所属する前記ローカルシステムの前記ローカル制御装置は、前記１のインターホン機器から送信されたＩＰアドレスと前記電源投入において前記記憶部に記憶したＩＰアドレスとをもとに、前記１のインターホン機器と前記他のインターホン機器とを通話可能に接続する一方、
電源投入した際に前記ＩＰ制御機に接続できなかった場合において、前記１のインターホン機器が同じ前記ローカルシステムに所属する前記他のインターホン機器を呼び出すと、呼び出し操作した前記１のインターホン機器が所属する前記ローカルシステムの前記ローカル制御装置は、前記１のインターホン機器から送信されたＩＰアドレスと前回の電源投入において前記記憶部に記憶したＩＰアドレスとをもとに、前記１のインターホン機器と前記他のインターホン機器とを通話可能に接続することを特徴とするインターホンシステム。
【請求項２】
前記ローカル制御装置は、電源投入した際に前記ＩＰ制御機に接続できなかった場合、前記ＩＰ制御機に接続できるまで接続要求信号を繰り返し送信することを特徴とする請求項１に記載のインターホンシステム。
【発明の詳細な説明】
【技術分野】
【０００１】
本発明は、インターホン子機及びインターホン親機を少なくとも１ずつ含む複数のインターホン機器と、インターホン機器間でインターネットプロトコルにより音声信号等を送受信するに際し、各インターホン機器のＩＰアドレスを記憶したローカル制御装置とからなるローカルシステムを、インターネットを介して外部の他のローカルシステムと接続してなるインターホンシステムに関するものである。
【背景技術】
【０００２】
従来、インターホン子機とインターホン親機とを、インターネットプロトコルにより音声信号等を送受信可能に接続してなるインターホンシステムが考案されている（たとえば特許文献１）。そして、このようなインターホンシステムには、各機器を識別するためのＩＰアドレスを記憶しており、たとえばインターホン子機において所望のインターホン親機を呼び出す操作がなされた際、そのＩＰアドレスをもとに所望のインターホン機器同士を通話可能に接続するＩＰ制御機が備えられている。
【先行技術文献】
【特許文献】
【０００３】
【特許文献１】特開２００３−３２３７５号公報
【発明の概要】
【発明が解決しようとする課題】
【０００４】
近年、インターネットの普及や組織のグローバル化等により、特許文献１に記載されているようなインターホンシステムをローカルシステムとし、該ローカルシステムを、インターネットを介して他のローカルシステムと接続するような大規模なインターホンシステムの構築が求められている。そして、そのような大規模なインターホンシステムでは、構成の合理化等の観点から、１つのＩＰ制御機を複数のローカルシステムで共用（すなわち、各ローカルシステム毎にはＩＰ制御機を備えない）するといった構成の採用が想定される。
【０００５】
上記大規模なインターホンシステムでは、ＩＰアドレスがＩＰ制御機にしか記憶されていないため、ＩＰ制御機を備えていないローカルシステムでは、たとえばローカルシステムの動作設定の更新やインターホン機器の追加等によりローカルシステムを再起動する、すなわち電源投入する度にインターネットを介してＩＰ制御機に接続し、そのローカルシステムに所属するインターホン機器のＩＰアドレスをダウンロードする必要がある。しかしながら、インターネットに接続するための機器（たとえばルータ等）の不調や回線の混雑等によって、電源投入時にインターネットに接続できない（インターネットを介してＩＰ制御機に接続できない）ような状況も考えられる。そして、電源投入時にＩＰ制御機に接続できないと、同じローカルシステムに所属するインターホン機器同士ですら通話できなくなるといった事態が起こり得る。
【０００６】
そこで、本発明は、上記問題に鑑みなされたものであって、たとえ電源投入時にＩＰ制御機に接続できなかったとしても、ローカルシステム内におけるインターホン機器同士については通話可能に接続することができるインターホンシステムを提供しようとするものである。
【課題を解決するための手段】
【０００７】
上記目的を達成するために、本発明のうち請求項１に記載の発明は、インターホン子機とインターホン親機とを少なくとも１ずつ含む複数のインターホン機器、及びインターネットプロトコルにより時分割多重通信によってインターホン機器間の通話を制御するローカル制御装置を有し、夫々インターネットを介して接続される複数のローカルシステムと、インターネットに接続され、インターホン機器のＩＰアドレスを記憶するＩＰ制御機とからなるインターホンシステムであって、ローカル制御装置は、電源投入する度にインターネットを介してＩＰ制御機に接続を試み、接続できると、自身が所属するローカルシステム内のインターホン機器のＩＰアドレスをダウンロードして、そのＩＰアドレスを記憶部に記憶しており、電源投入した際にＩＰ制御機に接続できた場合において、１のインターホン機器が同じローカルシステムに所属する他のインターホン機器を呼び出すと、呼び出し操作した１のインターホン機器が所属するローカルシステムのローカル制御装置は、１のインターホン機器から送信されたＩＰアドレスと電源投入において記憶部に記憶したＩＰアドレスとをもとに、１のインターホン機器と他のインターホン機器とを通話可能に接続する一方、電源投入した際にＩＰ制御機に接続できなかった場合において、１のインターホン機器が同じローカルシステムに所属する他のインターホン機器を呼び出すと、呼び出し操作した１のインターホン機器が所属するローカルシステムのローカル制御装置は、１のインターホン機器から送信されたＩＰアドレスと前回の電源投入において記憶部に記憶したＩＰアドレスとをもとに、１のインターホン機器と他のインターホン機器とを通話可能に接続することを特徴とする。
請求項１に記載の発明によれば、ローカル制御装置は、電源投入する度にインターネットを介してＩＰ制御機に接続し、自身が所属するローカルシステム内のインターホン機器のＩＰアドレスをダウンロードして、そのＩＰアドレスを記憶部に記憶している。そして、電源投入した際にＩＰ制御機に接続できなかった場合において、１のインターホン機器が同じローカルシステムに所属する他のインターホン機器を呼び出すと、前回の電源投入において記憶部に記憶したＩＰアドレスをもとに、１のインターホン機器と他のインターホン機器とを通話可能に接続するため、インターネットへの接続状況に拘わらず、ローカルシステム内のインターホン機器同士の通話に関しては保証することができ、使い勝手が非常に良い。また、ＩＰ制御機をローカルシステム毎に設置する必要がないため、インターホンシステム１全体としての構成の合理化を図ることができる。さらに、各インターホン機器のＩＰアドレスの設定はＩＰ制御機に対してのみ行えばよいため、２つ以上の機器で登録しなければならないシステムと比較すると、ＩＰアドレスの齟齬が生じないというメリットもある。
【０００８】
請求項２に記載の発明は、請求項１に記載の発明において、ローカル制御装置は、電源投入した際にＩＰ制御機に接続できなかった場合、ＩＰ制御機に接続できるまで接続要求信号を繰り返し送信することを特徴とする。
請求項２に記載の発明によれば、ローカル制御装置は、電源投入した際にＩＰ制御機に接続できなかった場合、ＩＰ制御機に接続できるまで接続要求信号を繰り返し送信するため、接続の成功に伴い自動的にＩＰアドレスや動作設定がダウンロードされることになり、使い勝手が非常によい。
【発明の効果】
【０００９】
本発明によれば、ローカル制御装置が、電源投入する度にインターネットを介してＩＰ制御機に接続し、自身が所属するローカルシステム内のインターホン機器のＩＰアドレスをダウンロードして、そのＩＰアドレスを記憶部に記憶しているため、インターネットへの接続状況に拘わらず、ローカルシステム内のインターホン機器同士の通話に関しては保証することができ、使い勝手が非常に良い。
【図面の簡単な説明】
【００１０】
【図１】インターホンシステム全体の構成を示した説明図である。
【図２】インターホン機器の一部やローカル制御装置のブロック構成を詳細に示した説明図である。
【発明を実施するための形態】
【００１１】
以下、本発明の一実施形態となるインターホンシステムについて、図面にもとづき詳細に説明する。
【００１２】
まず、インターホンシステム１全体について説明する。図１は、インターホンシステム１全体の構成を示した説明図である。
インターホンシステム１は、複数のインターホン機器（インターホン親機１１、及びインターホン子機１２ａ、１２ｂ）が所属するローカルシステム１０と、複数のインターホン機器（インターホン親機５１、及びインターホン子機５２）が所属するローカルシステム１０とは別のローカルシステム５０と、インターホンシステム１全体のインターホン機器のＩＰアドレスを記憶するＩＰ制御機３とを、インターネット２を介して接続してなる。また、全てのインターホン機器では、各ローカルシステム１０、５０に所属するローカル制御装置１３、５３による制御のもと、デジタル音声信号や他の制御信号をインターネットプロトコルにより時分割多重通信で送受信するように構成されており、インターホン機器同士を接続するためのＩＰアドレスを記憶するＩＰ制御機３は、ローカルシステム５０に接続されている。
【００１３】
次に、各ローカルシステムにおけるインターホン機器やローカル制御装置等について説明する。
ローカルシステム１０には、インターホン親機１１と、インターホン子機１２ａ、１２ｂが所属しているとともに、それらのインターホン機器同士の接続を制御する（主に通話路を管理する）ローカル制御装置１３、及び自身に所属するインターホン機器同士を接続したり、インターホン機器をインターネット２に接続したりするためのＨＵＢ１４を備えている。一方、ローカルシステム５０にも、ローカルシステム１０と同様のインターホン親機５１やインターホン子機５２、ローカル制御装置５３、ＨＵＢ５４が備えられている。また、ローカルシステム５０では、上述したようにインターホンシステム１全体のインターホン機器のＩＰアドレスを記憶したＩＰ制御機３がＨＵＢ５４に接続されている。ＩＰ制御機３は、異なるローカルシステムに所属するインターホン機器同士のインターネット２を介しての接続を制御する（通話路を管理する）ものであり、該ＩＰ制御機３には各ローカルシステム１０、５０のローカル制御装置１３、５３が接続可能となっている。また、ＩＰ制御機３には、各ローカルシステム１０、５０での動作設定（たとえば最大通話路数等）も記憶されている。
【００１４】
さらに、インターホン機器及びローカル制御装置のブロック構成について、図２をもとに詳述する。図２は、ローカルシステム１０に所属するインターホン機器の一部やローカル制御装置のブロック構成を詳細に示した説明図である。尚、ローカルシステム５０に所属するインターホン機器やローカル制御装置は、ローカルシステム１０のものと同じ構成であり、その詳細な説明は省略する。
【００１５】
インターホン親機１１は、通話のためのマイク１５及びスピーカ１６と、映像を表示するためのディスプレイ１７と、他のインターホン機器（すなわち、同じローカルシステム１０に所属するインターホン子機１２ａ、１２ｂ、及び他のローカルシステム５０に所属するインターホン親機５１やインターホン子機５２）の呼び出し時や他のインターホン機器（すなわち、他のローカルシステム５０に所属するインターホン親機５１）からの呼び出しに対する応答時、更には各種設定時に操作される操作部１８を備えているとともに、自身の動作を制御する制御部としてのＣＰＵ１９、及び自身の動作プログラムやローカル制御装置１３のＩＰアドレスを記憶する記憶部２０を内蔵している。
【００１６】
また、インターホン子機１２ａは、通話のためのマイク２１及びスピーカ２２と、インターホン親機１１のディスプレイ１７に表示される映像を撮像するためのカメラ２３と、インターホン親機１１の呼び出し時やインターホン親機１１、５１からの呼び出しに対する応答時に操作される操作部２４を備えているとともに、自身の動作を制御する制御部としてのＣＰＵ２５、及び自身の動作プログラムやローカル制御装置１３のＩＰアドレスを記憶する記憶部２６を内蔵している。尚、インターホン子機１２ｂは、インターホン子機１２ａと同じ構成を有している。
さらに、ローカル制御装置１３は、制御部としてのＣＰＵ２７を内蔵しているとともに、ローカルシステム１０の動作設定、ＩＰ制御機３のＩＰアドレス、及び自身が所属するローカルシステム１０の各インターホン機器（すなわち、インターホン親機１１及びインターホン子機１２ａ、１２ｂ）のＩＰアドレスを記憶する記憶部２８を内蔵している。尚、ＩＰ制御機３のＩＰアドレスについては予め起動当初から設定されている一方、各インターホン機器のＩＰアドレスについては後述の如くして取得し記憶する。
【００１７】
以上のような構成を有するインターホンシステム１においては、ローカルシステム１０を起動する、すなわちローカル制御装置１３の電源を投入する度に、ローカル制御装置１３は、記憶部２８に予め設定されているＩＰ制御機３のＩＰアドレスをもとに、ＨＵＢ１４及びインターネット２を介してＩＰ制御機３へ接続要求信号を送信し、ＩＰ制御機３に接続を試みる。そして、ＩＰ制御機３からの接続完了信号を受信しＩＰ制御機３との接続に成功すると、ＩＰ制御機３に記憶されているローカルシステム１０に所属するインターホン機器のＩＰアドレス及び動作設定をダウンロードし、ＩＰアドレスを記憶部２８に記憶するとともに、ダウンロードした動作設定をもとに各種設定を行う。
【００１８】
一方、インターネット２に接続できず、ＩＰ制御機３と接続できないと判断した（すなわち、接続要求信号を送信してから一定時間（たとえば５分間）以内にＩＰ制御機３から接続完了信号を受信できない）場合には、接続が成功するまで接続要求信号を繰り返し送信する。そして、ＩＰ制御機３との接続に成功すると、上述同様にＩＰ制御機３からＩＰアドレス等をダウンロードし、ＩＰアドレスについては記憶部２８に記憶する。
【００１９】
そして、電源投入後、ローカルシステム１０に所属するインターホン機器同士で通話しようとした際には、以下のような制御が行われる。尚、ここではインターホン親機１１からインターホン子機１２ａを呼び出そうとした際について詳述するが、たとえばインターホン子機１２ａからインターホン親機１１を呼び出す場合にも、ローカル制御装置１３のＩＰ制御機３への接続等に関して同様の制御が行われる。
まず、インターホン親機１１においてインターホン子機１２ａを呼び出す操作がされると、インターホン親機１１のＣＰＵ１９は、ＨＵＢ１４を介してローカル制御装置１３にインターホン子機１２ａのＩＰアドレスを問い合わせる。ローカル制御装置１３では、該問い合わせに伴い、呼び出し対象となるインターホン子機１２ａが同じローカルシステム１０に所属するインターホン機器であるか否かを判断する。そして、この場合には所属しているため記憶部２８を参照し、記憶しているＩＰアドレスをインターホン親機１１のＣＰＵ１１へと送信する。このとき、電源投入してからＩＰ制御機３に接続した後に呼び出し操作がされた場合には、該電源投入に際してＩＰ制御機３からダウンロードして記憶部２８に記憶したＩＰアドレスをインターホン親機１１へ送信する。一方、電源投入してからＩＰ制御機３に接続できていない間に呼び出し操作がされた場合には、前回の電源投入に際して記憶部２８に記憶しているＩＰアドレスを送信する。すると、インターホン親機１１では、受信したＩＰアドレスをもとにインターホン子機１２ａを特定し、インターホン子機１２ａを呼び出す。そして、インターホン子機１２ａにおいて応答操作がされると、インターホン親機１１とインターホン子機１２ａとの間で通話が可能となる。
【００２０】
また、ローカルシステム１０に所属するインターホン機器とローカルシステム５０に所属するインターホン機器との間で通話しようとした際には、以下のような制御が行われる。尚、ここではインターホン親機１１からインターホン親機５１を呼び出そうとした際について詳述するが、たとえばインターホン親機１１からインターホン子機５２を呼び出す場合にも同様の制御が行われる。
まず、インターホン親機１１においてインターホン親機５１を呼び出す操作がされると、インターホン親機１１のＣＰＵ１９は、ＨＵＢ１４を介してローカル制御装置１３にインターホン親機５１のＩＰアドレスを問い合わせる。ローカル制御装置１３では、該問い合わせに伴い、呼び出し対象となるインターホン親機５１が同じローカルシステム１０に所属するインターホン機器であるか否かを判断する。そして、この場合には所属していないため、ＨＵＢ１４及びインターネット２を介してＩＰ制御機３に接続を試み、インターホン親機５１のＩＰアドレスを問い合わせる。そして、接続に成功すると、ＩＰ制御機３に記憶されているインターホン親機５１のＩＰアドレスをダウンロードし、当該ＩＰアドレスをインターホン親機１１のＣＰＵ１９へと送信する。すると、インターホン親機１１では、受信したＩＰアドレスをもとにインターホン親機５１を特定し、インターネット２を介してインターホン親機５１を呼び出す。そして、インターホン親機５１において応答操作がされると、インターホン親機１１とインターホン親機５１との間で通話が可能となる。尚、異なるローカルシステムに所属するインターホン機器のＩＰアドレスについては、インターネット２に接続できない限り、それらのインターホン機器と接続することができないため、ローカル制御装置１３ではダウンロードしたＩＰアドレスを記憶部２８に記憶しない。
【００２１】
一方、ローカル制御装置１３がＩＰ制御機３にインターホン親機５１のＩＰアドレスを問い合わせた際に、インターネット２へ接続できない等によりＩＰ制御機３と接続できない場合（たとえば、接続要求信号に対して接続完了信号を受信できない場合）、ローカル制御装置１３は、インターネット２に接続できないと判断し、インターホン親機１１へ呼出キャンセル信号を送信する。
【００２２】
さらに、ローカルシステム５０に所属するインターホン機器で呼び出し操作が行われた際には、以下のような制御が行われる。
ローカルシステム５０では、インターネット２に接続できるか否かに拘わらず、ローカル制御装置５３がＩＰ制御機３と接続できる状況にあるものの、電源投入する度にローカル制御装置５３はＩＰ制御機３に接続し、ローカルシステム１０同様、自身が所属するローカルシステム５０のインターホン機器（インターホン親機５１及びインターホン子機５２）のＩＰアドレスをダウンロードし、記憶部に記憶する。そして、たとえばインターホン子機５２からインターホン親機５１を呼び出した際には、ローカル制御装置５３において呼び出し対象となるインターホン親機５１が同じローカルシステム５０に所属するインターホン機器であるか否かを判断した後、記憶部に記憶しているＩＰアドレスをインターホン子機５２へと送信する。一方、ローカルシステム１０に所属するインターホン機器との間で通話しようとする際、インターネット２への接続ができない状況であっても所望のＩＰアドレスを取得できるものの、インターネット２への接続ができないと判断する（たとえばローカル制御装置５３からローカル制御装置１３へ接続要求信号を送信したにも拘わらず接続完了信号を受信できない）ことをもって、呼び出し操作されたインターホン機器へ呼出キャンセル信号を送信する。
【００２３】
以上のような構成を有するインターホンシステム１によれば、特にＩＰ制御機３が接続されていないローカルシステム１０において、ローカルシステム１０に所属するインターホン機器の通話を制御するローカル制御装置１３の電源を投入する度に、ローカル制御装置１３はインターネット２を介してＩＰ制御機３に接続し、自身が所属するローカルシステム１０のインターホン親機１１及びインターホン子機１２ａ、１２ｂのＩＰアドレスをダウンロードして記憶部２８に記憶する。そして、同じローカルシステム１０に所属するインターホン機器同士での通話の場合、ローカル制御装置１３は、記憶部２８に記憶しているＩＰアドレスをもとに両者を通話可能に接続する。したがって、ローカル制御装置１３に電源が投入されてからＩＰ制御機３に接続していない場合であっても、ローカルシステム１０に所属するインターホン機器同士については、前回の電源投入時において記憶部２８に記憶したＩＰアドレスをもとに、両インターホン機器を通話可能に接続することができ（たとえばインターホン親機１１からインターホン子機１２ａを呼び出す等した際に、インターホン親機１１とインターホン子機１２ａとを通話可能に接続することができ）る。そのため、インターネット２への接続状況に拘わらず、同じローカルシステム１０内でのインターホン機器同士の通話に関しては保証することができ、使い勝手が非常に良い。
さらに、ＩＰ制御機３をローカルシステム毎に設置する必要がないため、インターホンシステム１全体としての構成の合理化を図ることができる上、各インターホン機器のＩＰアドレスの設定はＩＰ制御機３に対してのみ行えばよいため、２つ以上の機器で登録しなければならないシステムと比較すると、ＩＰアドレスの齟齬が生じないというメリットもある。
【００２４】
また、電源投入時において、インターネット２に接続できず、ＩＰ制御機３と接続できない場合には、接続が成功するまで接続要求信号を繰り返し送信する。したがって、インターネット２への接続が成功すると、自動的にＩＰアドレスや動作設定がダウンロードされることになり、使い勝手が非常によい。
加えて、ローカル制御装置１３がＩＰ制御機３にインターホン親機５１のＩＰアドレスを問い合わせた際に、インターネット２へ接続できない等によりＩＰ制御機３と接続できない状況が発生すると、ローカル制御装置１３は、インターネット２に接続できないと判断し、インターホン親機１１へ呼出キャンセル信号を送信する。したがって、通話待ちの滞留が発生しづらく、回線効率が向上する。
【００２５】
なお、本発明に係るインターホンシステムは、上記実施形態の態様に何ら限定されるものではなく、各インターホン機器の構成は勿論、通話に係る制御等に関しても、本発明の趣旨を逸脱しない範囲で、必要に応じて適宜変更することができる。
【００２６】
たとえば、インターホン子機１２ａにおいて呼び出し操作した際に、同じローカルシステム１０に所属するインターホン親機１１のみならず、ローカルシステムが異なるインターホン親機５１をも自動的に呼び出すように設定してもよい。そして、該設定時においてインターネット２への接続ができないと判断すると、ローカル制御装置１３に記憶されているＩＰアドレスをもとにインターホン親機１１のみを呼び出し、インターホン親機５１については、呼び出しをキャンセルするような構成としてもよい。
また、１つのローカルシステム（たとえばローカルシステム１０）に複数のインターホン親機を所属させることも可能である。
さらに、上記実施形態では、インターホンシステム１は２つのローカルシステムから構成されているが、３つ以上のローカルシステムからなるように構成しても勿論よい。
【００２７】
またさらに、上記実施形態では、電源投入した際にＩＰ制御機３からダウンロードしたＩＰアドレスを全て記憶するように構成しているが、ダウンロードする度に全てを記憶するのではなく、追加若しくは更新されたＩＰアドレスのみを記憶するように構成することも可能である。
加えて、上記実施形態ではＩＰ制御機３が所属するローカルシステム５０においても、ローカル制御装置５３にＩＰアドレスを記憶させるとしているが、ＩＰ制御機が接続されているローカルシステムにおいてはローカル制御装置にＩＰアドレスを記憶させないように構成することも可能である。
【符号の説明】
【００２８】
１・・インターホンシステム、２・・インターネット、３・・ＩＰ制御機、１０、５０・・ローカルシステム、１１、５１・・インターホン親機（インターホン機器）、１２ａ、１２ｂ、５２・・インターホン子機（インターホン機器）、１３、５３・・ローカル制御装置、１４、５４・・ＨＵＢ、２７・・ＣＰＵ、２８・・記憶部。
【図１】
0005789155.tif 000002
【図２】
0005789155.tif 000003